(57)【要約】【課題】電子ペンによるドットパターンの読み取り特性の低下を抑制することができる電子ペン用シート、電子ペン用表示装置を提供する。【解決手段】電子ペン用シート１０は、表示装置２０の表示部２１上に配置され、電子ペン３０により読み取り可能な複数のドット部１３ａから構成されるドットパターンが設けられたシートであり、ドットパターンが設けられるドットパターン層１３を備え、ドットパターンの各ドット部１３ａは、厚み方向に直交する観察者側の表面に交差する側面ｓの少なくとも一部が、表示装置側に向かうにつれて、前記観察者側の面におけるドット部１３ａの中心ｃ側へ傾斜していることを特徴とする。【選択図】図２
2016081180.tif 000002
【特許請求の範囲】
【請求項１】
表示装置の表示部上に配置され、電子ペンにより読み取り可能な複数のドット部から構成されるドットパターンが設けられた電子ペン用シートであって、
前記ドットパターンが設けられるドットパターン層を備え、
前記ドットパターンの各ドット部は、厚み方向に直交する観察者側の面に交差する側面の少なくとも一部が、前記表示装置側に向かうにつれて、前記観察者側の面における前記ドット部の中心側へ傾斜していること、
を特徴とする電子ペン用シート。
【請求項２】
請求項１に記載の電子ペン用シートにおいて、
前記ドットパターンの各ドット部は、前記ドットパターン層の厚み方向に垂直な断面の面積が、前記表示装置側に向かうにつれて小さくなること、
を特徴とする電子ペン用シート。
【請求項３】
請求項１又は請求項２に記載の電子ペン用シートにおいて、
前記ドットパターン層の表示装置側に、赤外光を拡散反射させる赤外光拡散反射層を備えること、
を特徴とする電子ペン用シート。
【請求項４】
表示部に画像を表示する表示装置と、
前記表示部上に配置される請求項１から請求項３までのいずれか１項に記載の電子ペン用シートと、
を備える電子ペン用表示装置。
【発明の詳細な説明】
【技術分野】
【０００１】
本発明は、電子ペンにより筆記された軌跡を読み取ることができる電子ペン用シート、電子ペン用表示装置に関するものである。
【背景技術】
【０００２】
近年、使用者によって描かれた文字や画像などの情報を電子情報化する電子ペンが提案されている（例えば、Ａｎｏｔｏ社製、アノトペン（Ａｎｏｔｏ  ｐｅｎ））。このような電子ペンは、複数のドット部から構成されるドットパターンを撮影するための小型カメラや、撮影したドットパターンから電子ペンの位置座標を演算するペン制御部、演算された位置座標等を外部機器へ送信する通信部等を備えている。使用者が、ドットパターンが形成された専用シートの上に、電子ペンを用いて文字や画像などを描いた場合、電子ペンの小型カメラが専用シート上のドットパターンを撮影する。そして、撮影結果に基づいて、専用シート上で移動していた電子ペンの軌跡が算出され、この結果、使用者の描いた文字や画像が座標データとして認識される。
【０００３】
また、このようなドットパターンを有した専用シートをＬＣＤや有機ＥＬなどの表示部に配置した表示装置が提案されている（例えば、特許文献１）。
このような専用シートに設けられたドットパターンは、主にフォトリソグラフィ方式により形成されているため、各ドット部のシートの厚み方向における断面形状が略矩形状に形成されている。そのため、電子ペンを厚み方向に対して傾けた状態で専用シート上に筆記した場合、電子ペンによって撮影されるドットパターンは、各ドット部の表面形状だけでなく、各ドット部の側面の一部も含んだ状態で撮影されることとなる。従って、撮影されたドット部の形状は、見かけ上、その表面形状よりも大きくなってしまい、隣接するドット部との距離が近くなり、ドット部のある部分と無い部分とのコントラストが付きにくくなり、ドットパターンの読み取り特性が低下してしまう場合があった。
【先行技術文献】
【特許文献】
【０００４】
【特許文献１】特開２０１２−２７９５８号公報
【発明の概要】
【発明が解決しようとする課題】
【０００５】
本発明の課題は、電子ペンによるドットパターンの読み取り特性の低下を抑制することができる電子ペン用シート、電子ペン用表示装置を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、表示装置（２０）の表示部（２１）上に配置され、電子ペン（３０）により読み取り可能な複数のドット部（１３ａ）から構成されるドットパターンが設けられた電子ペン用シート（１０）であって、前記ドットパターンが設けられるドットパターン層（１３）を備え、前記ドットパターンの各ドット部は、厚み方向に直交する観察者側の表面に交差する側面（ｓ）の少なくとも一部が、前記表示装置側に向かうにつれて、前記観察者側の面における前記ドット部の中心（ｃ）側へ傾斜していること、を特徴とする電子ペン用シートである。
請求項２の発明は、請求項１に記載の電子ペン用シート（１０）において、前記ドットパターンの各ドット部（１３ａ）は、前記ドットパターン層の厚み方向に垂直な断面の面積が、前記表示装置側に向かうにつれて小さくなること、を特徴とする電子ペン用シートである。
請求項３の発明は、請求項１又は請求項２に記載の電子ペン用シート（１０）において、前記ドットパターン層（１３）の表示装置側に、赤外光を拡散反射させる赤外光拡散反射層を備えること、を特徴とする電子ペン用シートである。
請求項４の発明は、表示部（２１）に画像を表示する表示装置（２０）と、前記表示部上に配置される請求項１から請求項３までのいずれか１項に記載の電子ペン用シート（１０）と、を備える電子ペン用表示装置（２）である。
【発明の効果】
【０００７】
本発明によれば、電子ペンによるドットパターンの読み取り特性の低下を抑制することができる電子ペン用シート、電子ペン用表示装置を提供することができる。
【図面の簡単な説明】
【０００８】
【図１】実施形態の電子ペンシステムの概要を説明する図である。
【図２】実施形態の電子ペン用シートの詳細を示す図である。
【図３】本実施形態の電子ペンの構成を示す図である。
【図４】本実施形態のドットパターン層の詳細を示す図である。
【図５】電子ペン用シートに設けられたドット部のデータ変換則の一例を示す図である。
【図６】電子ペンのカメラ部で撮影したドットパターンの変換例を示す図である。
【図７】比較例のドットパターン層の詳細を示す図である。
【図８】実施例及び比較例の電子ペン用シートのドット部の断面形状の測定結果を示す図である。
【図９】ドットパターン層のドット部の他の例を説明する図である。
【発明を実施するための形態】
【０００９】
以下、図面等を参照して、本発明の実施形態について説明する。なお、図１を含め、以下に示す各図は、模式的に示した図であり、各部の大きさ、形状は、理解を容易にするために、適宜誇張している。
さらに、本明細書中に記載する各部材の寸法等の数値及び材料名等は、実施形態としての一例であり、これに限定されるものではなく、適宜選択して使用してよい。
【００１０】
（実施形態）
図１は、本実施形態の電子ペンシステムの概要を説明する図である。
図２は、本実施形態の電子ペン用シートの詳細を示す図である。図２は、電子ペン用シートの厚み方向に平行であって、画面左右方向に平行な断面における断面図である。
図３は、本実施形態の電子ペンの構成を示す図である。
図４は、本実施形態のドットパターン層の詳細を示す図である。図４は、図２に示す断面をさらに拡大して示している。
以下の説明中において、画面上下方向、画面左右方向、厚み方向とは、特に断りが無い場合、この電子ペン用表示装置の使用状態における表示部の上下方向、左右方向、厚み方向であるとする。また、厚み方向における映像光が出射される側を観察者側（表面側）とし、その反対側を表示装置側（裏面側）とする。
【００１１】
電子ペンシステム１は、図１に示すように、電子ペン用表示装置２と、電子ペン３０等を備えている。この電子ペンシステム１は、電子ペン３０によって、電子ペン用表示装置２に筆記された軌跡を、電子情報化するシステムであり、電子情報化した筆跡を電子ペン用表示装置２に表示したり、記憶部に保存したりすることができる。
電子ペン用表示装置２は、電子ペン用シート１０、表示装置２０を備えており、電子ペン３０による筆跡を表示部２１（後述する）に表示することができる表示装置である。電子ペン用表示装置２は、表示装置２０の表示部２１上に接合層１４（図２参照）によって電子ペン用シート１０が貼付されている。
【００１２】
電子ペン用シート１０は、電子ペン３０により読み取り可能なドットパターンが設けられた透明シートである。電子ペン用シート１０は、図２に示すように、表面側から順に、表面層１１、透明基材層１２、ドットパターン層１３、枠印刷層１５、接合層１４が積層されている。
表面層１１は、透明基材層１２の表面側（観察者側）に設けられる層である。本実施形態の表面層１１は、電子ペン用シート１０の観察者側の最表面を形成している。
本実施形態の表面層１１は、ハードコート機能を有しており、透明基材層１２の観察者側の面（表面）に、ハードコート機能を有する紫外線硬化型樹脂（例えば、ウレタンアクリレート）等の電離放射線硬化型樹脂を塗膜の膜厚約２〜８μｍとなるように塗布して硬化させることによって形成されている。
【００１３】
透明基材層１２は、電子ペン用シート１０を形成する基材となるシート状の部材である。この透明基材層１２の観察者側（表面側）には、表面層１１が形成され、表示装置側（裏面側）には、ドットパターン層１３が形成されている。
本実施形態の透明基材層１２は、光透過性を有する透明樹脂から形成されており、例えば、ＰＥＴ（ポリエチレンテレフタレート）樹脂により形成されている。透明基材層１２は、この他、ＴＡＣ（トリアセチルセルロース）樹脂や、アクリル系樹脂、ＰＣ（ポリカーボネート）樹脂等を使用することも可能である。
透明基材層１２の厚さは、表示装置２０の表示部２１のサイズ等にも依るが、約２５〜２００μｍとすることが好ましく、本実施形態では１２５μｍに形成されている。
【００１４】
ドットパターン層１３は、ドット部１３ａ及び成形樹脂部１３ｂから構成されており、複数のドット部１３ａから構成されるドットパターンが形成された層である。
ドット部１３ａは、赤外光を吸収する点状の樹脂部である。ドット部１３ａは、透明基材層１２の表示装置側（裏面側）の面に樹脂をスクリーン印刷することによって形成される。ドット部１３ａは、ドットパターン層１３に複数設けられており、厚み方向から見て画面上下方向及び画面左右方向にほぼ等間隔に配置されている（図６（ａ）参照）。また、本実施形態では、このドット部１３ａの厚み方向から見た形状は、円形状に形成されている。
【００１５】
ドットパターン層１３に設けられる各ドット部１３ａは、図４に示すように、その側面ｓが、表示装置側（裏面側）に向かうにつれて、観察者側の面（表面）におけるドット部の中心線ｃ側へ傾斜するように形成されている。ここで、ドット部１３ａの側面とは、厚み方向に直交するドット部１３ａの表面（観察者側の面）と交差する面をいう。また、側面ｓが中心線ｃ側へ傾斜するとは、平坦な面が中心線ｃ側に傾斜している状態だけでなく、側面ｓが湾曲して中心線側に傾斜している状態、すなわち中心線側に湾曲する曲面を含むものをいう。
本実施形態では、ドット部１３ａは、球面が表示装置側に向き、平坦な面が観察者側に向くようにした半球状の楕円体に形成されている。すなわち、ドット部１３ａは、ドットパターン層１３の厚み方向に直交する断面の面積が、表示装置側（裏面側）に向かうにつれて小さくなる。
ドット部１３ａを形成する樹脂の母材は、紫外線硬化型樹脂や、熱硬化型樹脂を使用することができる。また、ドット部１３ａの樹脂に含有される色素は、ジイモニウム系や、フタロシアニン系、シアニン系、セシウムタングステン系等の色素を用いることができる。本実施形態では、ドット部１３ａは、エポキシアクリレートにジイモイウム色素と光開始剤とを含有させた樹脂により形成されている。
【００１６】
成形樹脂部１３ｂは、光透過性を有する透明樹脂の層であり、ドット部１３ａ及び透明基材層１２の表示装置側（裏面側）の面を覆うようにして形成されている。この成形樹脂部１３ｂは、その表示装置側の面が略平坦に形成される。
成形樹脂部１３ｂを形成する樹脂は、紫外線硬化型樹脂や、熱硬化型樹脂を使用することができる。本実施形態では、成形樹脂部１３ｂは、エポキシアクリレートに光開始剤を含有させた樹脂により形成されている。
【００１７】
ドット部１３ａは、その屈折率が、成形樹脂部１３ｂの屈折率と同等に形成されていることが望ましい。ここで、屈折率が同等であるとは、ドット部１３ａの屈折率と成形樹脂部１３ｂの屈折率とが等しい場合だけでなく、両者の屈折率の差が０．００４以内である場合も含むものをいう。これにより、ドットパターン層によって表示装置に表示される映像等にぎらつきが生じてしまうのを防ぐことができる。
本実施形態では、上述したように、ドット部１３ａ及び成形樹脂部１３ｂが共にエポキシアクリレートに光開始剤を含有させた樹脂から構成されているので、両者の屈折率は同等である。なお、ドット部１３ａ及び成形樹脂部１３ｂの各屈折率は、それぞれ、１．４８〜１．６１が望ましく、また、１．４９〜１．５６であることが更に望ましい。
【００１８】
接合層１４は、ドットパターン層１３と表示装置２０の表示部２１とを接合する層である。本実施形態では、接合層１４は、アクリル系粘着剤を使用しており、その厚みは約２５μｍに形成されている。
枠印刷層１５は、電子ペン用シート１０の外周縁に形成された枠状の層であり、表示装置２０の表示部２１の枠体に対応して設けられている。枠印刷層１５は、ドットパターン層１３の表示装置側の面に印刷等によって形成される。
【００１９】
表示装置２０は、図１に示すように、表示部２１、通信部２２、記憶部２３、制御部２４等を備えた情報通信端末であり、例えば、タブレット型の携帯端末である。
表示部２１は、画像を表示するモニタであり、例えば、ＬＣＤ（液晶）モニタや、有機ＥＬモニタである。なお、本実施形態の表示部２１には、赤外光を拡散反射する特性を有するＩＴＯ（Ｉｎｄｉｕｍ−ｔｉｎ−ｏｘｉｄｅ）膜（透明導電膜）を有している。
通信部２２は、外部機器と無線通信する通信モジュールであり、本実施形態では、電子ペン３０の通信部３４（後述する）と通信する。
記憶部２３は、表示装置２０の動作に必要なプログラム、情報等を記憶するための半導体メモリ素子等の記憶装置である。また、記憶部２３は、通信部２２を介して電子ペン３０から受信した情報を保存する。
制御部２４は、表示装置２０の各部を統括制御する制御回路であり、例えばＣＰＵ等から構成される。制御部２４は、記憶部２３に記憶された各種プログラムを適宜読み出して実行することにより、後述の電子ペン３０と協働し、本発明に係る各種機能を実現する。
【００２０】
電子ペン３０は、使用者の描いた文字や、図形等の筆跡を電子情報として読み取ることができるペン型の装置である。
電子ペン３０は、図３に示すように、赤外光照射部３１、カメラ部３２、ペン制御部３３、通信部３４、電源部３５、記憶部３６等を備えている。また、電子ペン３０の先端には、ペン先３０ａが形成されている。
電子ペン３０は、電子ペン用表示装置２に設けられる電子ペン用シート１０上において使用者が描いた文字や、記号、図形等の筆跡をカメラ部３２で撮影し、撮影した画像データに基づいてペン先３０ａの軌跡の座標データを演算し、電子情報として表示装置２０側に送信する。
なお、ペン先３０ａには不図示の圧力センサ等設けられており、電子ペン３０の制御部２４は、このペン先３０ａに所定値以上の筆圧が加わった場合に、筆記が開始されたものと判定し、電子ペン３０の各部を作動させている。
【００２１】
赤外光照射部３１は、電子ペン３０のペン先３０ａの周囲に赤外光を照射する光源である。赤外光照射部３１は、電子ペン３０のペン先３０ａが、電子ペン用シート１０の表面に接触した場合に、赤外光を電子ペン用シート１０の表面に照射する。
カメラ部３２は、赤外光照射部３１から照射された赤外光の戻り光を受光するＣＣＤカメラ又はＣＭＯＳカメラである。これにより、カメラ部３２は、ペン先３０ａが電子ペン用シート１０に接触した場合に、ペン先３０ａ近傍の電子ペン用シート１０に設けられたドットパターンを撮影し、その画像データをペン制御部３３に出力する。
【００２２】
ペン制御部３３は、電子ペン３０の各部を統括して制御する制御部であり、例えばＣＰＵ等から構成される。ペン制御部３３は、カメラ部３２によって撮影された画像データをカメラ部３２から入力し、その画像データに基づいて、電子ペン３０のペン先３０ａの座標データを作成する。また、ペン制御部３３は、作成した座標データを、通信部３４を介して表示装置２０へ送信する。
通信部３４は、外部機器と無線通信する通信モジュールであり、本実施形態では、表示装置２０の通信部２２と通信する。
電源部３５は、電子ペン３０の各部に電力を供給するバッテリーである。
記憶部３６は、電子ペン３０の動作に必要なプログラム、情報等を記憶するための半導体メモリ素子等の記憶装置である。また、記憶部３６は、カメラ部３２で撮影した画像データを所定値（後述する）に変換するプログラムや、変換した所定値の配列からペン先３０ａの座標データを演算するプログラムが記憶されている。さらに、記憶部３６は、カメラ部３２で撮影した画像データや、ペン制御部３３で作成した座標データ等を保存する。
【００２３】
次に、電子ペンシステム１の使用方法について説明する。
図５は、電子ペン用シートに設けられたドット部のデータ変換則の一例を示す図である。
図６は、電子ペンのカメラ部で撮影したドットパターンの変換例を示す図である。図６（ａ）は、電子ペンが読み取ったドットパターンの画像データの例を示す図であり、図６（ｂ）は、図６（ａ）の画像データから変換された所定値の配列を示す図である。
【００２４】
図５に示すように、ドットパターン層１３の各ドット部１３ａは、仮想の格子状の基準線（図５中の破線）の交点に対する位置に応じて、所定値（０〜３）が対応付けられている。具体的には、仮想の格子状の基準線の交点に対して右側にずれているドット部１３ａは「０」が、上側にずれているドット部１３ａは「１」が、左側にずれているドット部１３ａは「２」が、下側にずれているドット部１３ａは「３」が、それぞれ対応付けられている。
【００２５】
例えば、図６（ａ）に示すようなドットパターンを電子ペン３０が読み取った場合、ペン制御部３３は、上記変換則に基づいて、図６（ｂ）に示すように、ドットパターンの各ドット部１３ａを所定値に変換する。本実施形態では、カメラ部３２は、約２ｍｍ×約２ｍｍの領域を撮影し、６×６のドット部１３ａから構成されるドットパターンを撮影する（図６（ａ）参照）。
電子ペン３０の記憶部３６には、この所定値の配列に対応した座標情報が予め記憶されており、ペン制御部３３は、変換したドット部の所定値の配列に基づいて、ペン先３０ａの座標データを演算する。
【００２６】
電子ペン３０のペン制御部３３は、ペン先３０ａに筆圧が加わった場合に、内蔵されている赤外光照射部３１によって電子ペン用シート１０のドットパターン層１３に赤外光を照射し、その戻り光をカメラ部３２により撮影し、画像データを取得する。ここで、赤外光照射部３１から照射される赤外光は、電子ペン用表示装置２の表示部２１によって電子ペン３０側に拡散反射することとなるが、ドットパターン層１３のドット部１３ａは、赤外光を吸収する材料により形成されているため、カメラ部３２は、ドット部１３ａの部分のみ赤外光が吸収された状態のドットパターンを撮影することとなる。
電子ペン３０のペン制御部３３は、カメラ部３２で撮影された撮影データを上述の図５に示す変換則によって、撮影したドットパターンの各ドット部の位置を所定値に変換し、更にその所定値の配列に基づいて座標データに変換する。
【００２７】
ここで、カメラ部３２は、ペン先３０ａに筆圧が加わっている間、例えば、毎秒５０〜１００回のサンプリングで継続して撮影しており、撮影した画像データを、サンプリング毎にペン制御部３３に順次出力している。ペン制御部３３は、カメラ部３２から順次出力される画像データを座標データに変換し、通信部３４を介して表示装置２０の通信部２２に順次送信する。
電子ペン用表示装置２の制御部２４は、電子ペン３０から座標データを受信したら、その座標データに基づいて表示部２１に、電子ペン３０による筆跡を表示する。
【００２８】
次に、本実施形態の電子ペン用シート１０へ入射する電子ペンの赤外光の様子を説明する。
図７は、比較例の電子ペン用シートのドットパターン層を示す図である。
比較例の電子ペン用シートは、図７に示すように、厚み方向に平行な断面におけるドット部の形状が略矩形状に形成されており、このドット部の側面は、ドット部の表面（観察者側の面）に対して略垂直に形成されている。なお、図４及び図７は、厚み方向に平行であって画面左右方向に平行な断面について記載しているが、厚み方向に平行であって画面上下方向に平行な断面についても同様である。
【００２９】
ここで、電子ペンから照射される赤外光のうちドット部に吸収される赤外光は、厚み方向に対して電子ペンが少しでも傾斜している場合、図７に示すように、ドット部の表面（観察者側の面）の一端部から他端部に入射する赤外光Ｌ４、Ｌ５だけでなく、ドット部の側面に入射する赤外光Ｌ６も含まれる。そのため、図７に示す断面において、画面左右方向におけるドット部により吸収される赤外光の幅ｄ４は、厚み方向から見たドット部の幅ｄ３よりも大きくなってしまう（ｄ４＞ｄ３）。
したがって、電子ペンのカメラ部により撮影されるドット部は、見かけ上、ドット部よりも大きくなってしまい、隣接するドット部との距離が近くなり、ドット部のある部分と無い部分とのコントラストが付きにくくなり、ドットパターンの読み取り特性が低下してしまう場合があった。
【００３０】
これに対して、本実施形態の電子ペン用シートのドット部１３ａは、図４に示すように、その側面ｓが、表示装置側（裏面側）に向かうにつれて、観察者側の面（表面）におけるドット部の中心線ｃ側へ傾斜するように形成されている。そのため、電子ペン３０が厚み方向に対して傾いている場合であっても、ドット部１３ａによって主に吸収される赤外光は、ドット部１３ａの表面（観察者側の面）の一端部から他端部に入射する赤外光Ｌ１、Ｌ２となり、図４に示す断面において、画面左右方向におけるドット部１３ａにより吸収される赤外光の幅ｄ２は、ドット部の幅ｄ１とほぼ等しくなる（ｄ２≒ｄ１）。したがって、各ドット部間に入射する赤外光（例えばＬ３）は、ドット部１３ａの側面ｓに入射して吸収されてしまうのを極力回避することができる。
【００３１】
これにより、電子ペン３０のカメラ部３２によって撮影されるドット部１３ａは、上述の比較例の場合のように、見かけ上大きく撮影されてしまうのを抑制することができ、隣接するドット部との距離が近くなってドット部のある部分と無い部分とのコントラストが付きにくくなるのを抑制し、ドットパターンの読み取り特性が低下してしまうのを回避することができる。
【００３２】
（電子ペンの読み取り特性の評価）
次に、実施例及び比較例の電子ペン用シートを準備し、両者の電子ペンの読み取り特性の評価を行った。
実施例及び比較例の電子ペン用シートは、表示装置の表示部上に、接合層、枠印刷層、ドットパターン層、透明基材層、表面層が順次積層された構成である。
実施例の電子ペン用シートは、上述の実施形態に基づく電子ペン用シートであり、図２に示すドットパターン層１３を有している。
比較例の電子ペン用シートは、上述の比較例に基づく電子ペン用シートであり、図７に示すドットパターン層を有している。
【００３３】
実施例及び比較例の電子ペン用シートを構成する各層の詳細は以下の通りである。
実施例及び比較例の電子ペン用シートの外形は、それぞれ３２０ｍｍ×４６０ｍｍである。
実施例及び比較例の電子ペン用シートの透明基材層は、ＰＥＴ樹脂（東洋紡績社製、Ａ４３００）、厚さ１２５μｍのシートである。
実施例及び比較例の電子ペン用シートのドットパターン層は、ドット部が、ジイモイウム色素を重量比で１２．５％、光開始剤を重量比で３％それぞれ含有させたエポキシアクリレート系樹脂により形成されている。
また、実施例及び比較例の成形樹脂部は、光開始剤を３％（重量比）含有させたエポキシアクリレート系樹脂に形成されており、その厚さは１２５μｍである。
【００３４】
実施例のドット部は、厚み方向から見た形状が直径１６０μｍの円形であり、厚さが１７μｍであり、隣り合うドット部との間隔が約３００μｍになるように、透明基材層の表示装置側の面に上述の樹脂をスクリーン印刷することによって形成されている。
これに対し、比較例のドット部は、厚み方向からみた形状が直径１３０μｍの円形であり、厚さが８μｍであり、隣り合うドット部との間隔が約３００μｍになるように、透明基材層の表示装置側の面に上述の樹脂を塗布し、フォトリソグラフィ方式によって光を７０ｍJ／ｃｍ２（波長３６５ｎｍ換算）で露光した後、現像液（ＫＯＨ濃度約０．０４％）により６０秒間現像することによって形成されている。
実施例及び比較例の成形樹脂部は、透明基材層及びドット部上に成形樹脂部を形成する上記樹脂を塗布し、紫外線光源（Ｆｕｓｉｏｎ社製、Ｄバルブ）を用いて、紫外線を１０００ｍJ／ｃｍ２露光することによって形成される。
【００３５】
実施例及び比較例の電子ペン用シートは、表示装置（パナソニック製、タフパッド４Ｋ  ＵＴ−ＭＢ５）の表示部に粘着層によって貼付される。
【００３６】
図８は、実施例及び比較例の電子ペン用シートのドット部の断面形状の測定結果を示す図である。図８（ａ）は、実施例のドット部の断面形状を示す図であり、図８（ｂ）は、比較例のドット部の断面形状を示す図である。ここで、図８に示す実施例及び比較例のドット部の各断面形状は、非接触表面・層断面形状計測システム（菱化システム社製、ＶｅｒｔＳｃａｎ）によって計測されたものである。なお、図８の各図は、縦軸及び横軸の単位は、いずれも［μｍ］である。
【００３７】
比較例の電子ペン用シートのドット部は、図８（ｂ）に示すように、その断面形状が略矩形状に形成されている。この比較例の電子ペン用シートを表示装置上に配置して電子ペンで筆記した場合、電子ペンのカメラ部は、厚み方向に対する電子ペンの傾ける角度が平均２５°までであれば、筆跡を適正に読み取ることができた。
これに対して、実施例の電子ペン用シートは、図８（ａ）に示すように、その断面形状が略半楕円状に形成されており、ドット部の側面が、表示装置側（裏面側）に向かうにつれて、観察者側の面（表面）におけるドット部の中心側へ傾斜するように形成されている。この実施例の電子ペン用シートを表示装置上に配置して電子ペンで筆記した場合、電子ペンのカメラ部は、厚み方向に対する電子ペンの傾ける角度を４７°まで傾けても筆跡を適正に読み取ることができ、比較例の電子ペン用シートに比してより大きく電子ペンを傾けても筆跡を適正に読み取ることができることが確認された。
【００３８】
これは、比較例の電子ペン用シートは、上述のように電子ペンの傾ける角度を大きくすることにより、撮影されるドット部の見かけ上の大きさが大きくなってしまうため、隣接するドット部との距離が近くなり、ドット部のある部分と無い部分とのコントラストが付きにくくなり、ドットパターンの読み取り特性が低下してしまったことが要因と考えられる。
これに対して、実施例の電子ペン用シートは、電子ペンの傾ける角度を大きくしても、撮影されるドット部の見かけ上の大きさが比較例ほど大きくならないため、隣接するドット部との距離が近くなり、ドット部のある部分と無い部分とのコントラストが付きにくくなるのを抑制し、ドットパターンの読み取り特性が低下してしまうのを回避することができることが確認された。
【００３９】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４０】
（変形形態）
図９は、ドットパターン層のドット部の他の例を説明する図である。
（１）上述の実施形態において、ドットパターン層１３のドット部１３ａは、球面が表示装置側に向くようにした半球状の楕円体に形成される例を説明したが、これに限定されるものでない。例えば、ドット部１３ａは、半球状に形成されるようにしたり、図９（ａ）に示すように、半球状の縁部が外側に広がった形状に形成されたり、図９（ｂ）に示すように、頂点が表示装置側に向いた三角錐状に形成されたり、図９（ｃ）に示すように、半球状の長円体に形成されるようにしてもよい。
また、ドット部１３ａは、図９（ｄ）及び図９（ｅ）に示すように、厚み方向に平行な断面が平行四辺形になるような円柱状に形成されたりしてもよい。なお、図９（ｄ）や図９（ｅ）に示すドット部の形態は、例えば、右利きの使用者が電子ペンを握る場合は、電子ペンが画面左右方向の右側に傾く傾向があるので、図９（ｄ）に示す形態とし、また、左利きの使用者が電子ペンを握る場合は、電子ペンが画面左右方向の左側に傾く傾向があるので、図９（ｅ）に示す形態とすることができる。
【００４１】
（２）上述の各実施形態において、電子ペンから照射される赤外光は、表示装置２０の表示部２１に設けられたＩＴＯ膜（透明導電膜）によって拡散反射し、電子ペン側に戻り光として戻される例を示したが、これに限定されるものでない。例えば、赤外光を拡散反射させる赤外光拡散反射層をドットパターン層の表示装置側（裏面側）に設け、電子ペンから照射される赤外光が赤外光拡散反射層によって拡散反射するようにしてもよい。このように赤外光拡散反射層を電子ペン用シートに設けることによって、電子ペン側により近い位置で赤外光を拡散反射させることができるので、電子ペンにより撮影されるドットパターンの撮影データをより鮮明にすることができる。また、このような電子ペン用シートは、表示装置側に赤外光を拡散反射させる層が存在しない場合に特に有効である。
赤外光拡散反射層は、例えば、粒径の揃った平板上の銀ナノ粒子（銀ナノ平板粒子）を高密度で分散させた構造を有するシートを用いることができ、銀ナノ粒子のプラズモン共鳴現象を利用して赤外光を反射することができる。
【００４２】
（３）上述の実施形態において、ドットパターン層１３のドット部１３ａは、厚み方向から見た形状が円形状に形成される例を示したが、これに限定されるものでなく、例えば、楕円状や、矩形状に形成されるようにしてもよい。
【００４３】
（４）ドットパターン層１３は、透明基材層１２の表示装置側の面にドット部１３ａが形成され、ドット部１３ａ及び透明基材層１２の表示装置側の面に成形樹脂部１３ｂが形成される例を示したが、これに限定されるものでない。例えば、ドットパターン層１３は、透明基材層１２の表示装置側の面に、ドット部１３ａに対応する窪みを表示装置側の面に設けられた成形樹脂部１３ｂが形成され、その窪みにドット部１３ａが形成されるようにしてもよい。この場合、成形樹脂部１３ｂは、例えば、ドット部１３ａに対応する窪みを賦形する成形型に樹脂を押圧し、硬化されることによって形成され、また、ドット部１３ａは、例えば、成形樹脂部１３ｂの前記窪みに樹脂を充填しワイピングすることによって形成される。
また、この場合、ドット部及び成形樹脂部の表示装置側の面に第２樹脂成形層を設けるようにしてもよい。成形樹脂部１３ｂとドット部１３ａとから構成されるドットパターン層１３の表示装置側（裏面側）の面が平坦に形成できない場合に、第２成形樹脂部を形成することによって、ドットパターン層１３の表示装置側の面を平坦にすることができる。なお、第２成形樹脂部は、例えば、ドット部１３ａ及び成形樹脂部１３ｂの表示装置側の面に樹脂を充填し、平坦面を有する金型を押し付ける等によって形成される。
【符号の説明】
【００４４】
１    電子ペン用システム
２    電子ペン用表示装置
１０    電子ペン用シート
１１    表面層
１２    透明基材層
１３    ドットパターン層
１３ａ    ドット部
１３ｂ    成形樹脂部
１４    接合層
２０    表示装置
２１    表示部
２２    通信部
２３    記憶部
２４    制御部
３０    電子ペン
３１    赤外光照射部
３２    カメラ部
３３    ペン制御部
【図１】
2016081180.tif 000003
【図２】
2016081180.tif 000004
【図３】
2016081180.tif 000005
【図４】
2016081180.tif 000006
【図５】
2016081180.tif 000007
【図６】
2016081180.tif 000008
【図７】
2016081180.tif 000009
【図８】
2016081180.tif 000010
【図９】
2016081180.tif 000011